(57)【要約】【課題】  撮像装置において、組み立ての際レンズユニットと撮像素子とのフォーカス調整を極めて容易に行うことができるようにする。【解決手段】  撮像装置１０はレンズユニット１５と、両端が開口されてレンズユニットを収納する中空状のレンズホルダー１４と、レンズユニットの一端側に位置しレンズユニットの光軸上に位置付けられた撮像素子１２とを有している。レンズユニットの外面には光軸に交差する方向に延びるツバ部１５ｃが形成されており、レンズホルダー内にはレンズユニットが収納される収納空間１４ｂが規定され、収納空間は撮像素子側に位置する第１の空間とレンズユニットの他端側に位置する第２の空間とを有している。第１及び第２の空間との境に光軸に交差する方向に延びる平坦部１４ｆが形成され、第２の空間の径は第１の空間の径よりも大きく、ツバ部の径は第２の空間の径よりも小さく第１の空間の径よりも大きく規定されて、収納空間内でレンズユニットと撮像素子との相対的位置決めが行われて、接着剤４１によってツバ部が第２の収納空間の内面に固定される。【選択図】  図５
2006039403.tif 000002
【特許請求の範囲】
【請求項１】
少なくとも１以上のレンズを収納するレンズユニットと、
該レンズユニットの外周に延在するツバ部と、
該レンズユニットを撮像側に設けられる第１の空間と、被写体側に設けられ且つ第１の空間より径が大である第２の空間とに収納するレンズホルダーと、
該レンズホルダーの内周の光軸と交差する方向に延在すると共に第１の空間と第２の空間との略境に設けられた平坦部とを備え、
前記レンズユニットの前記ツバ部と第２の空間の内面との間に接着剤を介することにより該レンズユニットを前記レンズホルダーに位置決め固定する撮像装置。
【請求項２】
前記レンズホルダーの撮像側に配置する撮像素子を更に備え、
前記レンズユニットは、前記撮像素子との位置決めを行って前記レンズホルダーに位置決め固定する請求項１に記載の撮像装置。
【請求項３】
前記レンズユニットが前記レンズホルダーに非接触状態で該レンズホルダーに位置決め固定する請求項１又は２に記載の撮像装置。
【請求項４】
前記ツバ部に、前記レンズユニットが前記レンズホルダーに非接触状態で該レンズホルダーに位置決め固定する際に前記レンズユニットを組立機で把持するためのチャック部を更に備えた請求項３に記載の撮像装置。
【請求項５】
前記ツバ部をリング状とし、該ツバ部の径を第１の空間の径より大、第２の空間の径より小とした請求項１乃至４のいずれかに記載の撮像装置。
【請求項６】
前記平坦部の前記レンズホルダー内壁側に配置した溝部を更に備え、該溝部を前記レンズユニットの位置決め固定の際の接着剤溜りとする請求項１乃至５のいずれかに記載の撮像装置。
【請求項７】
前記ツバ部の外周位置であって光軸に対し被写体側から結像側に傾斜する傾斜溝部を更に備え、該傾斜溝部を前記レンズユニットの位置決め固定の際の接着剤注入部とする請求項１乃至６のいずれかに記載の撮像装置。
【請求項８】
前記撮像素子を配置した基板と、
カバーガラスと、
前記レンズホルダーの結像側略端部に設けた第３の空間と、該第３の空間より径が小で且つ被写体側に設けた第４の空間とを更に備え、
第４の空間に前記カバーガラスを収納すると共に、前記レンズホルダーの結像側端面に前記基板を当接すると共に該レンズホルダーの第３の空間に前記撮像素子を収納した請求項２乃至７のいずれかに記載の撮像装置。
【請求項９】
少なくとも１以上のレンズを収納するレンズユニットと、
該レンズユニットの外周に延在するツバ部と、
該レンズユニットを撮像側に設けられる第１の空間と、被写体側に設けられ且つ第１の空間より径が大である第２の空間とに収納するレンズホルダーと、
該レンズホルダーの内周の光軸と交差する方向に延在すると共に第１の空間と第２の空間との略境に設けられた平坦部と、
前記レンズホルダーの結像側外周に設けたベース部とを備える撮像装置と、
前記撮像装置を収納し、かつ、前記レンズユニットに収納されるレンズを表出させる孔部を有するケーシングとを備える携帯端末。
【発明の詳細な説明】
【技術分野】
【０００１】
本発明は、ＣＣＤ（電荷結合素子）等の撮像素子を有する撮像装置に関し、特に、レンズユニットと撮像素子とのフォーカス調整が極めて容易な撮像装置及びこの撮像装置を用いた携帯端末に関するものである。
【背景技術】
【０００２】
一般に、モバイル機器等の内蔵されたカメラモジュール（撮像装置）には、撮像素子（例えば、ＣＣＤ）、レンズユニット、及びレンズユニットを保持するためのレンズホルダーが備えられており、レンズユニットを通った光を撮像素子に結像するようにしている。
【０００３】
カメラモジュールの組み立てに当っては、レンズユニットと撮像素子とのフォーカス調整を行う必要があり、フォーカス調整の際には、レンズユニットの光軸方向に平行なＺ軸、このＺ軸に直交するＸＹ軸方向に対してフォーカス調整を行うとともに、光軸と撮像素子の受光面との角度（θ）を調整してフォーカス調整を行う必要がある。
【０００４】
ところで、従来の撮像装置において、撮像素子と回路基板との間に支持部材を拘持して、この支持部材が回路基板の表面と撮像素子本体の裏面との間に挟まれた平板状のベース部と、ベース部４１の外周部に形成された複数の支持部とを備えて、支持部とレンズホルダーとをネジ止め固定して、ベース部４１の両側面に撮像素子本体の両側部に突設された複数本のリードの内、両端の２本のリードが係合すべき左右一対の切欠きを形成するようにしたものがあり、ここでは、支持部材は、ベース部の裏面に突設した複数本の位置決めピンが回路基板の貫通孔に圧入され、回路基板上に位置決めされ、支持部材に対してレンズホルダーが締結固定されている（特許文献１参照：以下従来例１と呼ぶ）。
【０００５】
さらに、従来の撮像装置において、接着剤によってレンズユニット等を固定する際、余分に入った接着剤が立体プリント基板内部へ染みだすことを防止するため、レンズと立体プリント基板とを接着剤で接着する際、立体プリント基板の胴部内周面の下部に接着剤溜まりを設けて、レンズ接面から染み出した接着剤を接着剤溜まりで受けるようにしたものがある（以下従来例２と呼ぶ）。
【０００６】
【特許文献１】特開２０００−６９３３６公報（第３頁〜第５頁、第１図〜第８図）
【発明の開示】
【発明が解決しようとする課題】
【０００７】
ところで、上述の従来例１では、撮像素子と回路基板との間に配設される支持部材に対してレンズホルダーを締結固定しているものの、対物レンズが支持されるレンズ保持体とホルダー本体（レンズ保持体とホルダー本体とによってレンズホルダーが構成される）とは、捻じ込みによって連結されている関係上、ｚ軸方向に関するフォーカス調整は行えるものの、ＸＹ軸方向及びθ方向に対する調整を行うことが極めて難しく、結果的に、撮像装置組み立ての際、フォーカスの微調整ができないという課題がある。
【０００８】
一方、従来例２においては、レンズと立体プリント基板とを接着剤で接着する際に染み出る接着剤を受けるため、立体プリント基板の胴部内周面の下部に接着剤溜まりを設けているものの、撮像装置の組み立ての際には、立体プリント基板の上方から、光学フィルター３を接着剤により固定し、予め表面にレンズマスクを設けたレンズ２を装着して、胴部内周上面に形成された接着ポイント（接着剤導入溝）から接着剤を充填してレンズを固定するようにしており、このため、撮像装置組み立ての際に、フォーカスの微調整を行うことが難しいという課題がある。
【０００９】
従って、本発明はかかる従来技術の問題に鑑み、組み立ての際、レンズユニットと撮像素子との調整を容易にすることのできる撮像装置及びこの撮像装置を用いた携帯端末を提供することを目的とする。
【課題を解決するための手段】
【００１０】
そこで、かかる課題を解決するために、本発明の撮像装置では、少なくとも１以上のレンズを収納するレンズユニットと、該レンズユニットの外周に延在するツバ部と、該レンズユニットを撮像側に設けられる第１の空間と、被写体側に設けられ且つ第１の空間より径が大である第２の空間とに収納するレンズホルダーと、該レンズホルダーの内周の光軸と交差する方向に延在すると共に第１の空間と第２の空間との略境に設けられた平坦部とを備え、前記レンズユニットの前記ツバ部と第２の空間の内面との間に接着剤を介することにより該レンズユニットを前記レンズホルダーに位置決め固定する。
【００１１】
本発明では、前記レンズホルダーの撮像側に配置する撮像素子を更に備え、前記レンズユニットは、前記撮像素子との位置決めを行って前記レンズホルダーに位置決め固定する。また、前記レンズユニットが前記レンズホルダーに非接触状態で該レンズホルダーに位置決め固定するようにする。そして、前記ツバ部に、前記レンズユニットが前記レンズホルダーに非接触状態で該レンズホルダーに位置決め固定する際に前記レンズユニットを組立機で把持するためのチャック部を更に備えるようにしてもよい。さらに、前記ツバ部をリング状とし、該ツバ部の径を第１の空間の径より大、第２の空間の径より小とすることが望ましい。本発明では、前記平坦部の前記レンズホルダー内壁側に配置した溝部を更に備え、該溝部を前記レンズユニットの位置決め固定の際の接着剤溜りとする。また、前記ツバ部の外周位置であって光軸に対し被写体側から結像側に傾斜する傾斜溝部を更に備え、該傾斜溝部を前記レンズユニットの位置決め固定の際の接着剤注入部とするようにする。加えて、本発明では、前記撮像素子を配置した基板と、カバーガラスと、前記レンズホルダーの結像側略端部に設けた第３の空間と、該第３の空間より径が小で且つ被写体側に設けた第４の空間とを更に備え、第４の空間に前記カバーガラスを収納すると共に、前記レンズホルダーの結像側端面に前記基板を当接すると共に該レンズホルダーの第３の空間に前記撮像素子を収納する。
【００１２】
また、本発明によれば、少なくとも１以上のレンズを収納するレンズユニットと、該レンズユニットの外周に延在するツバ部と、該レンズユニットを撮像側に設けられる第１の空間と、被写体側に設けられ且つ第１の空間より径が大である第２の空間とに収納するレンズホルダーと、該レンズホルダーの内周の光軸と交差する方向に延在すると共に第１の空間と第２の空間との略境に設けられた平坦部と、前記レンズユニットの結像側外周に設けたベース部とを備える撮像装置と、前記撮像装置を収納し、かつ前記レンズユニットに収納されるレンズを表出させる孔部を有するケーシングとを備える携帯端末が得られる。
【発明の効果】
【００１３】
以上のように、本発明の撮像装置によれば、組立の際、レンズユニットと撮像素子との調整を容易に行うことができる。
【発明を実施するための最良の形態】
【００１４】
以下、本発明の実施の形態について図面を参照して説明する。但し、この実施の形態に記載されている構成部品の寸法、材質、形状、その相対配置などは特に特定的な記載がない限り、この発明の範囲をそれのみに限定する趣旨ではなく、単なる説明例にすぎない。
【実施例１】
【００１５】
図１は、本発明の実施例１による撮像装置を分解して示す斜視図であり、図１に示すように、撮像装置１０は、プリント配線基板（ＰＣＢ）１１、撮像素子（ＣＣＤ）１２、カバーガラス１３、遮光樹脂製の円筒形状レンズホルダー１４、及びレンズユニット１５を有しており、プリント配線基板１１上に撮像素子１２が載置される。そして、レンズユニット１５がレンズホルダー１４に保持されることになるが、この際、後述するようにして、レンズユニット１５と撮像素子１２とのフォーカス調整が行われる。なお、図示のようにレンズユニット１５の外径はレンズホルダー１４の内径よりも小さい。
【００１６】
図２はレンズユニット１５を分解して示す斜視図であり、レンズユニット１５は遮光樹脂製のレンズ保持体１５ａを有しており、このレンズ保持体１５ａの両端部は開口されている。レンズＡ保持体１５ａは、円筒形状の本体部１５ｂ及びこの本体部１５ｂの外周面に形成されて径方向に張り出すリング状のツバ部１５ｃとを有している。ここで、該ツバ部１５ｃはリング状に限らず、突起状のものであっても良い。図示の例では、このツバ部１５ｃを境として、本体部１５ｂは前面側（図中左側）の小径部１５１と後側（図中右側）の大径部１５２とに分かれている。また、ツバ部１５ｃの周面には、その周方向に沿って軸方向に凹む傾斜溝部１５３が形成されるとともに、これら傾斜溝部１５３の間に位置して貫通部１５４が形成されている。そして、傾斜溝部１５３の底面は径方向外側に向って斜め下向きに傾斜している（つまり、撮像素子１２側に傾斜している）。
【００１７】
さらに、図示の例では、レンズユニット１５は、第１〜第４のレンズ２１〜２４及び第１及び第２の線形アイリス２５及び２６を有しており、これら第１〜第４のレンズ２１〜２４及び第１及び第２の線形アイリス２５及び２６はレンズ体と呼ばれる。レンズユニット１５を組み立てる際には、大径部１５２の開口部側から、図２に実線矢印で示す方向に、第１のレンズ２１、第１の線形アイリス２５、第２のレンズ２２、第３のレンズ２３、第２の線形アイリス２６、及び第４のレンズ２４の順に、レンズ保持体１５ａ中に挿入し、その後、セットリング体２７を大径部１５２の端部に装着して、レンズ体をレンズ保持体１５ａ内に保持する。
【００１８】
一方、レンズホルダー１４は、その両端が開口されており、レンズホルダー１４はプリント配線基板１１上の撮像素子１２に対応付けてプリント配線基板１１上に配設され、その後、レンズホルダー１４の前面側開口からレンズユニット１５が挿入されて、後述するフォーカス調整が行われた後、接着剤によってレンズ保持体１５ａがレンズホルダー１４の内周面に固定される。このようにして、撮像装置１０を組み立てた後の状態を図３及び図４に示す。図３は撮像装置１０を上方から見た図であり、図４は撮像装置１０を側方から見た図である。
【００１９】
図５は撮像装置１０を破断して示す図であり、図５に示すように、レンズホルダー１４の内周面には、径方向内側に延びるフランジ部１４ａが形成されており、このフランジ部１４ａよりも上側の空間（以下レンズユニット収納空間と呼ぶ）１４ｂにレンズユニット１５が位置付けられる。図示の例では、レンズホルダー１４はフランジ部１４ａを起点として、その上側に位置する厚肉の周壁部１４ｃとこの周壁部１４ｃに連続する薄肉の周壁部１４ｄとを有しており、周壁部１４ｃの内径は周壁部１４ｄの内径よりも小さい。つまり、レンズユニット収納空間１４ｂは、周壁部１４ｃで規定される第１の空間と周壁部１４ｄで規定される第２の空間とを有していることになる。
【００２０】
周壁部１４ｂの内周面はフランジ部１４ａを起点として上側（前面側）に向ってその径が大きくなるようにテーパー状に形成されており、このテーパー面１４ｅの上端（つまり、周壁部１４ｃの上端）は、平坦状となっている（つまり、テーパー面１４ｅの上端には平坦部１４ｆが規定されている）。そして、平坦部１４ｆの外側には軸方向に凹む溝部１４ｇが形成されており、溝部１４ｇは平坦部１４ｆと周壁部１４ｄの内周面との間に位置している。
【００２１】
また、レンズホルダー１４において、フランジ部１４ａよりも下側の部分はベース部１４ｈと呼ばれる。つまり、レンズユニット１５の結像側外周にベース部１４ｈが配置されていることになる。このベース部１４ｈの内周面には段差１４ｉが設けられ、この段差１４ｉによって段差１４ｉよりも下側に位置する内周面１４ｊと上側に位置する内周面１４ｋとに分かれている。内周面１４ｊによって第３の空間が規定され、内周面１４ｋによって第４の空間が規定され、第３の空間の径は第４の空間の径よりも大きい。そして、カバーガラス１３が、フランジ部１４ａの下面に装着され、レンズユニット１５と撮像素子１２との間に位置付けられる。
【００２２】
言い換えると、レンズホルダー１４の結像側略端部には第３の空間が設けられ、被写体側には第３の空間より径が小の第４の空間が設けられて、第４の空間にカバーガラス１３を収納される。そして、レンズホルダー１４の結像側端面において、ＰＣＢ１１を当接するＣＣＤ１２が第３の空間に収納されていることになる。
【００２３】
ここで、図６を参照して、撮像装置１０を組み立てる際のフォーカス調整について説明する。図６（ａ）に示すように、フォーカス調整を行う際には、調整用チャート３１を撮像装置１０で撮像して（図６（ａ）においては、レンズユニット１５のみが示されている）、撮像画像に応じて、レンズユニット１５をレンズ光軸３２に対してＺ軸方向及びＸＹ軸方向又はθ方向に移動させる（レンズユニット位置調整）。一方、図６（ｂ）に示すように、レンズ光軸３２に対して撮像素子１２はθ方向に移動させる（撮像素子位置調整）。そして、レンズユニット位置調整及び撮像素子位置調整が終了すると、その状態で、つまり、レンズユニット１５と撮像素子１２との相対的位置関係を保った状態で、レンズホルダー１４をプリント配線基板１１上に配設するとともに、レンズユニット１５を後述するようにして、レンズホルダー１４に固定する。
【００２４】
図７を参照して、さらに具体的に説明する。図７にはおいては、レンズユニット１５及びレンズホルダー１４等は概略的に示されており、図５に示す例とは若干異なる。そして、ここでは、レンズユニット１５をＺ軸方向及びＸＹ軸方向に微調整し、撮像素子１２をθ方向に微調整して、フォーカス調整を行う例について説明する。
【００２５】
まず、図７（ａ）に示すように、治具（図示せず）を用いてレンズホルダー１４内にレンズユニット１５を挿入する。この際、前述の貫通部１５４に治具が挿入されて治具でレンズユニット１５を支持しつつ、レンズユニット挿入空間１４ｂ内にレンズユニット１５を挿入する。つまり、貫通部１５４はレンズユニット１５を支持（把持）するためのチャック部として機能することになる。
【００２６】
そして、治具をＺ軸方向に微調整して、つまり、レンズユニット挿入空間１４ｂ内でレンズユニット１５をＺ軸方向に微調整して、レンズ光軸３２のピント位置３３の調整を行う（Ｚ調整：中心ピント調整）。その後、図７（ｂ）に示すように、レンズユニット挿入空間１４ｂ内でレンズユニット１５をＸＹ軸方向に微調整して、レンズ光軸３２と撮像素子１２の中心３４との位置合わせする（ＸＹ調整：パララックス調整）。この様に、レンズユニット１５をレンズホルダー１４から離れた状態でフォーカス調整をすることで、ＸＹＺ軸だけでなく、θ調整をすることができ、高精度な調整を容易に行うことができる。
【００２７】
続いて、図７（ｃ）に示すように、撮像素子１２をθ方向に微調整して（θ調整：片ボケ調整）、フォーカス調整が終了する。この状態が図７（ｄ）に示す状態である。そして、治具によって図７（ｄ）に示す状態を保持したまま、前述の溝部１５３から接着剤４１を流し込む。溝部１５３の底面は径方向外側に向って斜め下向きに傾斜しているから、接着剤４１はこの底面に沿って流れる。図５に示すように、ツバ部１５ｃの径は周壁部１４ｃの内径よりも大きく、周壁部１４ｄの内径よりも小さいから、溝部１５３に沿って流れる接着剤４１はツバ部１５ｃの外周端から滴下することになる。
【００２８】
そして、接着剤４１は溝部１４ｇに溜まりつつ、周壁部１４ｄとツバ部１５ｃとの間に位置付けられ、接着剤４１によってツバ部１５ｃが周壁部１４ｄに固定される。つまり、レンズユニット１５がレンズホルダー１４に固定される。この際、平坦部１４ｆが土手の役割を担って、接着剤４１が周壁部１４ｃの内周面に漏れ出ることはない。また、仮にレンズユニット１５がフォーカス調整中や固定後接着不良により落下しても該平坦部１４ｆが落下防止部材として働き、落下によるレンズユニット１５の故障等も防止する。図８（ａ）及び（ｂ）は接着箇所の一例を示す図であり、このようにして、レンズユニット１５自体は、直接レンズホルダー１４に触れることなく、接着剤４１によってレンズホルダー１４に固定されることになる。つまり、ツバ部１５ｃは平坦部１４ｆに保持されることなく、該平坦部１４ｆと離れた状態で固定される。なお、フランジ部１４ａは、レンズユニット１５のＺ軸方向の調整位置を規定しており、レンズユニット１５は最大限、フランジ部１４ａの位置まで撮像素子１２側に微調整されることになる。
【００２９】
このようにして、レンズユニット収納空間内でレンズユニット１５を微調整して、撮像素子１２との相対的位置決め（フォーカス調整）を行った後、ツバ部１５ｃに形成された傾斜溝部１５３から接着剤を注入すれば、レンズユニット１５を容易にレンズホルダー１４に固定することができ、しかも平坦部１４ｆが土手となって接着剤が撮像素子１２側に漏れることもない。また、周壁部１４ｄはレンズユニット１５を固定する部位であるとともに、レンズユニット１５を外部から保護し、レンズユニット１５の位置ずれを防止する等の効果を有する。
【００３０】
図９は上述した撮像装置が組み込まれた携帯端末の一例を示す図であり、図９（ａ）は正面側からカバーを開いた状態で見た図、図９（ｂ）は一部破断して側面側から見た図である。図９（ａ）に示すように、携帯端末５０はケーシング５１を有しており、このケーシング５１の正面側には複数の操作キーボタン５２を有する操作部５３が規定されている。そして、操作部５３を使用する際には、図９（ａ）に示すように、カバー５３ａが開かれる。操作部５３の上側には表示部（液晶ディスプレイ）５４が配置され、この表示部５４の上側、つまり、ケーシング５１の上端部側には孔部５５が形成されている。
【００３１】
ケーシング５１には前述した撮像装置１０が収納され、レンズユニット１５中のレンズ体５６が孔部５５を介してケーシング５１の正面側に表出している。つまり、図９（ｂ）に示すように、レンズユニット（図９（ｂ）には示さず）が孔部５５に対応するようにして撮像装置１０はケーシング５１内に収納されており、この際、レンズ体５６（図９（ｂ）には示さず）が孔部５５からケーシング５１の正面側（被写体側）に表出する。
【００３２】
本実施の形態によれば、レンズユニットの外面に光軸に交差する方向に延びるツバ部を形成し、レンズホルダー内にレンズユニットが収納される収納空間が規定されて、収納空間が撮像素子側に位置する第１の空間とレンズユニットの他端側に位置する第２の空間とを有し、第１及び第２の空間との境に光軸に交差する方向に延びる平坦部を形成して、第２の空間の径を第１の空間の径よりも大きくして、ツバ部の径を第２の空間の径よりも小さく第１の空間の径よりも大きく規定したので、収納空間内でレンズユニットをＺ軸方向及びＸＹ軸方向又はθ方向に微調整することが容易となり、その結果、レンズユニットと撮像素子とのフォーカス調整が簡単にでき、フォーカス調整の後、接着剤を介してツバ部を第２の収納空間の内面に固定することができるという効果がある。
【００３３】
本実施の形態では、平坦部と第２の収納空間の内面との間に光軸方向に凹み接着剤の溜まり部となる溝部を形成するようにしたので、接着剤が撮像素子側に漏れ出すことがないという効果がある。
【００３４】
本実施の形態では、溝部をツバ部の外面よりも外側に位置付けて、ツバ部に光軸方向に凹み、その底面が光軸方向に交差する方向に向って撮像素子側に傾斜する傾斜溝部を形成するようにしたので、傾斜溝部から接着剤を注入すれば、接着剤は第２の空間の内面に沿って移動して溜まり部に溜まることになるから、接着剤の漏れを防ぎつつ、容易にツバ部、つまり、レンズユニットを第２の空間の内面、つまり、レンズホルダーに固定することができるという効果がある。そして、ツバ部にチャック部を形成するようにすれば、このチャック部でレンズユニットを保持しつつ、収納空間内でレンズユニットを容易に微調整することができるという効果がある。
【産業上の利用可能性】
【００３５】
レンズユニットの外面に光軸に交差する方向に延びるツバ部を形成し、レンズホルダー内にレンズユニットが収納されるレンズユニット収納空間を規定して、レンズユニット収納空間を、撮像素子側に位置する第１の空間とレンズユニットの他端側に位置する第２の空間に分けて、第１及び第２の空間との境に光軸に交差する方向に延びる平坦部を形成し、第２の空間の径を第１の空間の径よりも大きし、ツバ部の径を第２の空間の径よりも小さく第１の空間の径よりも大きく規定したから、レンズユニット収納空間内でレンズユニットをＺ軸方向及びＸＹ軸方向又はθ方向に微調整することが容易となる結果、レンズユニットと撮像素子とのフォーカス調整が簡単にでき、フォーカス調整の後、接着剤を介してツバ部を第２の収納空間の内面に固定すればよく、携帯電話機等のモバイル機器用のカメラモジュールに適用することができる。
【図面の簡単な説明】
【００３６】
【図１】本発明の実施例１による撮像装置の一例を分解して示す斜視図である。
【図２】図１に示すレンズユニットを分解して示す斜視図である。
【図３】本発明の実施例１による撮像装置を上方から見た図である。
【図４】本発明の実施例１による撮像装置を側方から見た図である。
【図５】本発明の実施例１による撮像装置を破断して示す図である。
【図６】本発明の実施例１による撮像装置を組み立てる際のフォーカス調整について説明するための図であり、（ａ）はレンズユニット位置調整を説明するための図、（ｂ）は撮像素子位置調整を説明するための図である。
【図７】本発明の実施例１による撮像装置を組み立てる際のフォーカス調整について説明するための図であり、（ａ）はＺ調整（中心ピント調整）を説明するための断面図、（ｂ）はＸＹ調整（パララックス調整）を説明するための断面図、（ｃ）はθ調整（片ボケ調整）を説明するための断面図、（ｄ）はフォーカス調整後の撮像装置を示す断面図である。
【図８】図８はレンズユニットとレンズホルダーとの接着箇所を示す図であり、（ａ）は上方から見た図、（ｂ）は斜視図である。
【図９】本発明の実施例１による撮像装置が組み込まれた携帯端末の一例を示す図であり、（ａ）は正面側からカバーを開いた状態で見た図、（ｂ）は一部破断して側面側から見た図である。
【符号の説明】
【００３７】
１０  撮像装置
１１  プリント配線基板（ＰＣＢ）
１２  撮像素子（ＣＣＤ）
１３  カバーガラス
１４  レンズホルダー
１５  レンズユニット
１５ａ  レンズ保持体
１５ｂ  本体部
１５ｃ  ツバ部
１５３  傾斜溝部
１５４  貫通部（チャック部）
１４ａ  フランジ部
１４ｂ  レンズユニット収納空間
１４ｃ，１４ｄ  周壁部
１４ｅ  テーパー面
１４ｆ  平坦部
１４ｇ  溝部（溜まり部）
４１  接着剤
５０  携帯端末
５１  ケーシング
５５  孔部
５６  レンズ体
【図１】
2006039403.tif 000003
【図２】
2006039403.tif 000004
【図３】
2006039403.tif 000005
【図４】
2006039403.tif 000006
【図５】
2006039403.tif 000007
【図６】
2006039403.tif 000008
【図７】
2006039403.tif 000009
【図８】
2006039403.tif 000010
【図９】
2006039403.tif 000011